(57)【要約】【課題】収納構造のコンパクト化と把持した手の親指操作でスイッチ操作が可能な機械的なスイッチ装置の提供。【手段】スイッチ装置は、電池プラス端子金具４０の折り返し弾性片４３とモータプラス端子金具５０の凸部５２とが向かい合って位置決めされており、折り返し弾性片４３と凸部５２との中間に介在する隔壁部８４を持つ揺動可能な絶縁性スイッチ操作部８０を備え、隔壁部８４は、その基部側に凸部５２が嵌入する貫通孔Ｈと先端側に凸部５２が嵌入する盲穴ｈとを備えている。【選択図】      図１９
2011104240.tif 000002
【特許請求の範囲】
【請求項１】
電池及びその給電対象体のうちいずれか一方の電極と接続した第１端子金具と、前記電池及び前記給電対象体のうち他方の電極に接続した第２端子金具とを有するスイッチ装置において、
第１端子金具の弾性接触部と第２端子金具の凸部とが向かい合って位置決めされており、前記弾性接触部と前記凸部との中間に介在して当該凸部に対して実質的に直交する方向にスライド可能な隔壁部を持つ絶縁性スイッチ操作部を備え、前記隔壁部は、第１位置にて前記凸部が嵌入して当該隔壁部を自己位置決めする係合凹部と、第２位置にて前記凸部が嵌入して当該隔壁部を自己位置決めすると共に、嵌入した当該凸部が前記弾性接触部に弾接するのを許容する貫通空部とを備えていることを特徴とするスイッチ装置。
【請求項２】
請求項１に記載のスイッチ装置において、前記弾性接触部は板バネ片であって、前記隔壁部は当該隔壁部のスライドに伴い前記板バネ片を相対的に案内するガイド溝を有することを特徴とするスイッチ装置。
【請求項３】
請求項１又は請求項２に記載のスイッチ装置において、前記絶縁性スイッチ操作部は、相対向した支軸を持つ一対の対向脚部と、これらに跨って前記支軸に対して直交方向の双方向へ延在する操作板部と、この操作板部の一端からＬ形状に湾曲した前記隔壁部とを一体的に有することを特徴とするスイッチ装置。
【請求項４】
請求項３に記載のスイッチ装置において、前記係合凹部は前記隔壁部の先端側に形成されており、前記貫通空部は前記隔壁部の基部側に形成された貫通孔であることを特徴とするスイッチ装置。
【請求項５】
請求項１乃至請求項４のいずれか一項に記載のスイッチ装置を用い、前記給電対象体は偏心錘を持つ振動モータであって、この振動モータと前記電池との間に前記凸部，隔壁部及び弾性接触部を配置して内蔵したケース本体を備え、このケース本体は、歯ブラシのネック部を着脱自在に挟持する第１の二股爪部と、前記歯ブラシのハンドル部を着脱自在に挟持する第２の二股爪部とを一体的に備えて成ることを特徴とする着脱式歯ブラシ用振動装置。
【請求項６】
請求項５に記載の着脱式歯ブラシ用振動装置において、前記ケース本体は前記第２の二股爪部から後方へ延在し前記ハンドル部に跨る尾部を有することを特徴とする着脱式歯ブラシ用振動装置。
【請求項７】
請求項５又は請求項６に記載の着脱式歯ブラシ用振動装置において、前記ケース本体の振動モータ収容部を塞ぐモータカバーを有し、前記振動モータ収容部と前記モータカバーとで前記支軸を揺動可能に支持し、前記操作板部が前記モータカバー上に被さっていることを特徴とする着脱式歯ブラシ用振動装置。
【請求項８】
請求項７に記載の着脱式歯ブラシ用振動装置において、前記ケース本体の電池収容部と前記振動モータ収容部とを一巡する開口縁にＯリングを介在させて前記両収容部を塞ぐ外カバーを有し、この外カバーは前記操作板部のオン釦部とオフ釦部に臨むシート付き窓部を有することを特徴とする着脱式歯ブラシ用振動装置。
【請求項９】
ケース本体とカバーとから成り、前記ケース本体は歯ブラシの柄部が貫通可能に抱持する空洞部を有し、前記ケース本体の先端において前記歯ブラシの柄部のハンドル部側であるネック部を着脱自在に弾力的に挟持する第１の二股爪部と、前記ケース本体の腹部において前記ハンドル部の中途部を着脱自在に弾力的に挟持する第２の二股爪部１２とが設けられており、前記ケース本体は前記第１の二股爪部寄りに振動モータを内蔵して成ることを特徴とする着脱式歯ブラシ用振動装置。
【請求項１０】
請求項９に記載の着脱式歯ブラシ用振動装置において、前記ケース本体は前記第２の二股爪部から後方へ延在し前記ハンドル部に跨る尾部を有することを特徴とする着脱式歯ブラシ用振動装置。
【発明の詳細な説明】
【技術分野】
【０００１】
本発明は、機械的なスイッチ装置に関し、特に、これを用いた着脱式歯ブラシ用振動装置に関する。
【背景技術】
【０００２】
特開２００３−９３４１５には偏心錘を持つ振動モータを用いた電動歯ブラシが開示されている。この電動歯ブラシは、内部に電池２本を直列に収納する把持本体と、この把持本体の一側部に取り付けた歯ブラシ体とから成り、把持本体の外端部にはスイッチを兼ねた蓋体をねじ等の止着部材により取り付けてあって、スイッチ操作を行なうことができると共に電池交換ができるようになっている。このスイッチは内蔵する振動モータと電池とに構成した回路途中に設けられ、止着部材における回転式や押しボタン式となっている。
【先行技術文献】
【特許文献】
【０００３】
【特許文献１】特開２００３−９３４１５（００１１〜００１３、図１）
【発明の概要】
【発明が解決しようとする課題】
【０００４】
しかしながら、上記のスイッチは把持本体の歯ブラシ側ではなく外端部（反歯ブラシ側）に設けられているため、把持本体を片手で把持した際にはスイッチのオン／オフ操作は他方の手で行なわねばならず、把持した手の親指操作でスイッチ操作を行なうのは不可能で使い勝手の悪さがあった。また、歯ブラシ体は、ネック部近傍の空洞部に振動モータを内蔵し、把持本体の一側部に嵌合筒部を接合する特殊品であることから、ブラシ毛の摩滅劣化の際は歯ブラシ体全体の交換を余儀なくされるばかりか、内部部品である振動モータを露出させてからこれを新たな歯ブラシ体に組み込み直す手間を要する。
【０００５】
そこで、本発明の第１の課題は、収納構造のコンパクト化において把持した手の親指操作でスイッチ操作が可能な機械的なスイッチ装置を提供することにある。
【０００６】
本発明の第２の課題は、歯ブラシ交換の際にケース内の振動モータを取り外さずに済ませることができる電動歯ブラシを提供することにある。
【課題を解決するための手段】
【０００７】
本発明は、電池及びその給電対象体のうちいずれか一方の電極と接続した第１端子金具と、電池及び給電対象体のうち他方の電極に接続した第２端子金具とを有するスイッチ装置において、第１端子金具の弾性接続部と第２端子金具の凸部とが向かい合って位置決めされており、弾性接触部と凸部との中間に介在して当該凸部に対して実質的に直交する方向にスライド可能な隔壁部を持つ絶縁性スイッチ操作部を備え、この隔壁部は、第１位置にて凸部が嵌入して当該隔壁部を自己位置決めする係合凹部と、第２位置にて凸部が嵌入して当該隔壁部を自己位置決めすると共に、嵌入した当該凸部が弾性接触部に弾接するのを許容する貫通空部とを備えていることを特徴とする。
【０００８】
斯かる構成のスイッチ装置においては、隔壁部が第１位置では係合凹部と凸部とが嵌め合い状態であるスイッチ・オフ状態を持続でき、絶縁性スイッチ操作部を操作して隔壁部が第２位置になると、凸部から係合凹部が脱し、凸部に貫通空部が嵌入し、この貫通空部を介して弾性接触部に弾接するため、凸部と弾性接触部が導通し、スイッチ・オン状態を持続できる。そして、絶縁性スイッチ操作部を操作して隔壁部が第１位置になると、凸部から貫通空部が脱し、凸部に係合凹部が嵌入するため、スイッチ・オフを持続できる。
【０００９】
このように、第２端子金具の凸部が弾性接続部との間で可動する隔壁部の係合凹部と貫通空部とに切り換わって嵌入するため、スイッチ操作にクリック感を呈することができると共に、スイッチ操作部に対し無操作の場合はオン状態又はオフ状態を持続できる。そして、第１端子金具と第２端子金具とは電池とその給電対象体との中間に配することができ、片手で把持したまま、その親指でスイッチ操作部を操作できる。また、２つの端子金具とこの間に隔壁部が介在するスイッチ操作部とで構成できるため、コンパクトな収納構造を実現できる。
【００１０】
弾性接触部は板バネ片であって、隔壁部はこのスライドに伴い板バネ片を相対的に案内するガイド溝を有することが望ましい。弾力的な板バネ片の逃げをガイド溝で規制でき、永年使用による板バネ片の変形が抑制でき、結果として隔壁部のスライド方向に対するブレを抑制でき、凸部と係合凹部や貫通空部との嵌め合わせの精度を持続できる。
【００１１】
絶縁性スイッチ操作部は、相対向した支軸を持つ一対の対向脚部と、これらに跨って支軸に対して直交方向の双方向へ延在する操作板部と、この操作板部の一端から実質的にＬ形状に湾曲した隔壁部とを一体的に有することが望ましい。
【００１２】
隔壁部のスライドを操作板部のシーソー操作で実現できるから、スイッチ操作面を電池や給電対象体の片面側に配することができる。
【００１３】
ここで、係合凹部は隔壁部の先端側に形成されており、貫通空部は隔壁部の基部側に形成された貫通孔であることが望ましい。凸部は係合凹部と浅く嵌合し、凸部は貫通孔と深く嵌合するため、貫通空部が隔壁部の基部側に形成されているので、隔壁部には嵌合時に過大なストレスが生じ難く、スイッチ操作に伴う耐久性を向上できる。
【００１４】
着脱式歯ブラシ用振動装置としては、上記スイッチ装置を用い、給電対象体は偏心錘を持つ振動モータであって、この振動モータと電池との間に凸部，隔壁部及び弾性接触部を配置して内蔵したケース本体を備え、このケース本体は、歯ブラシのネック部を着脱自在に挟持する第１の二股爪部と、その腹部において歯ブラシのハンドル部を着脱自在に挟持する第２の二股爪部とを一体的に備えている。
【００１５】
振動モータからの振動はケース本体を介して第１の二股爪部から歯ブラシのネック部に良く伝わるため、市販品の歯ブラシでも電動歯ブラシとして使用可能となる。一台の着脱式歯ブラシ用振動装置を家族数人の使い回しで共用でき、従来の専用電動歯ブラシを各人が購入する場合に比し低価格化を実現できる。また、歯ブラシの交換においては、振動モータは露出せず、ケース本体に内蔵されたままであり、二股爪部による着脱操作だけで簡単に交換できる。
【００１６】
ここで、ケース本体は第２の二股爪部から後方へ延在しハンドル部に跨る尾部を有する場合は、ハンドル部を把持した片手の指が第２の二股爪部に不如意に掛ったときでも、第２の二股爪部がハンドル部の端にないため、ハンドル部から外れ難い。
【００１７】
また、ケース本体の振動モータ収容部を塞ぐモータカバーを有し、振動モータ収容部とモータカバーとで支軸を回動可能に支持し、操作板部がモータカバー上に被さっている場合、隔壁部のスライドにおいてはその先端がケース本体に当接するときと、反対に、操作板部の端がモータカバーに当接するときとがあり、隔壁部のスライドストロークを限定できる。
【００１８】
ケース本体の電池収容部と振動モータ収容部とを一巡する開口縁にＯリングを介在させて両収容部を塞ぐ外カバーを有し、この外カバーは操作板部のオン釦部とオフ釦部に臨むシール付き窓部を有することが望ましい。
【００１９】
操作板部はモータカバーと外カバーとの間に挟まっており、窓部のシールを介してシーソー操作可能であって、Ｏリングや窓部のシールで２重防水構造となっている。
【発明の効果】
【００２０】
本発明のスイッチ装置によれば、部品点数が少なくコンパクトな収納構造を実現できると共に、スイッチ操作が把持した手の親指操作で可能である。また本発明の着脱式歯ブラシ用振動装置によれば、市販品の歯ブラシを電動歯ブラシとして使用可能とすることができる。
【図面の簡単な説明】
【００２１】
【図１】（Ａ）は本発明に係る着脱式歯ブラシ用振動装置を用いた電動歯ブラシを示す正面図、（Ｂ）は同電動歯ブラシの右側面図、（Ｃ）は同電動歯ブラシの左側面図である。
【図２】（Ａ）は同着脱式歯ブラシ用振動装置を示す正面図、（Ｂ）は同着脱式歯ブラシ用振動装置の右側面図、（Ｃ）は同着脱式歯ブラシ用振動動置の左側面図、（Ｄ）は同着脱式歯ブラシ用振動装置の平面図、（Ｅ）は同着脱式歯ブラシ用振動装置の底面面である。
【図３】（Ａ）は同着脱式歯ブラシ用振動装置を上から見た斜視図、（Ｂ）は同着脱式歯ブラシ用振動装置を下から見た斜視図である。
【図４】同着脱式歯ブラシ振動装置の組立斜視図である。
【図５】（Ａ）は同着脱式歯ブラシ振動装置のケース本体を上から見た斜視図、（Ｂ）は同ケース本体を下から見た斜視図である。
【図６】（Ａ）は同ケース本体の正面図、（Ｂ）は同ケース本体の右側面図、（Ｃ）は同ケース本体の左側面図である。
【図７】（Ａ）は同ケース本体の平面図、（Ｂ）は（Ａ）中のｂ−ｂ線で切断した状態を示す切断矢視図、（Ｃ）は（Ｂ）中のｃ−ｃ線で切断した状態を示す切断矢視図、（Ｄ）は（Ｂ）中のｄ−ｄ線で切断した状態を示す切断矢視である。
【図８】（Ａ）は同ケース本体内に振動モータ，モータカバー，絶縁性スイッチ操作部及び端子金具を内蔵した状態を示す縦断面図、（Ｂ）は同ケース本体内に内蔵する振動モータ，絶縁性スイッチ操作部及び端子金具の関係を示す正面図である。
【図９】（Ａ）は同ケース本体内に内蔵する電池マイナス端子金具を示す斜視図、（Ｂ）は同電池マイナス端子金具の正面図、（Ｃ）は同電池マイナス端子金具の左側面図である。
【図１０】（Ａ）は同ケース本体内に内蔵する電池プラス端子金具を示す斜視図、（Ｂ）は同電池プラス端子金具の正面図、（Ｃ）は同電池プラス端子金具を別の角度から見た斜視図である。
【図１１】（Ａ）は同ケース本体内に内蔵するモータプラス端子金具を示す斜視図、（Ｂ）は同モータプラス端子金具の正面図、（Ｃ）は同モータプラス端子金具を別の角度から見た斜視図である。
【図１２】（Ａ）は同振動モータ，同電池マイナス端子金具の一部，同モータプラス端子金具及び同電池プラス端子金具の配置関係を示す斜視図、（Ｂ）は同配置関係を示す正面図である。
【図１３】（Ａ）は同モータカバーを上から見た斜視図、（Ｂ）は同モータカバーを下から見た斜視図である。
【図１４】（Ａ）は同モータカバーの平面図、（Ｂ）は同モータカバーの正面図、（Ｃ）は同モータカバーの右側面図、（Ｄ）は同モータカバーの底面図、（Ｅ）は（Ｄ）中のｅ−ｅ線で切断した状態を示す切断矢視図、（Ｆ）は（Ｄ）中のｆ−ｆ線で切断した状態を示す切断矢視図、（Ｇ）は（Ｄ）中のｇ−ｇ線で切断した状態を示す切断矢視図である。
【図１５】（Ａ）は同絶縁性スイッチ操作部を上から見た斜視図、（Ｂ）は同絶縁性スイッチ操作部を下から見た斜視図である。
【図１６】（Ａ）は同絶縁性スイッチ操作部の平面図、（Ｂ）は同絶縁性スイッチ操作部の正面図、（Ｃ）は同絶縁性スイッチ操作部の右側面図、（Ｄ）は同絶縁性スイッチ操作部の左側面図、（Ｅ）は（Ａ）中のｅ−ｅ線に沿って切断した状態を示す切断矢視図である。
【図１７】（Ａ）〜（Ｄ）は同モータカバーと同是絶縁性スイッチ操作部とを組み合わせて同ケース本体に組み込む手順を示す断面図である。
【図１８】（Ａ）は同電動歯ブラシ用振動装置の外カバーを示す平面図、（Ｂ）は同外カバーの右側面図、（Ｃ）は同外カバーの左側面図、（Ｄ）は同外カバーの正面図、（Ｅ）は同外カバーの底面図、（Ｆ）は（Ｄ）中のｆ−ｆ線に沿って切断した状態を示す切断矢視図、（Ｇ）は（Ｄ）中のｇ−ｇ線に沿って切断した状態を示す切断矢視図、（Ｈ）は（Ｄ）中のｈ−ｈ線に沿って切断した状態を示す切断矢視である。
【図１９】（Ａ）は同振動モータのオフ状態を示す断面図、（Ｂ）は同振動モータをオン状態からオフ状態へ移行させる中途状態を示す断面図、（Ｃ）は同振動モータのオン状態を示す断面図である。
【発明を実施するための形態】
【００２２】
次に、本発明に係る着脱式歯ブラシ振動装置の一実施例を添付図面に基づいて説明する。本例の着脱式歯ブラシ振動装置１を用いた電動歯ブラシ２は、図１に示す如く、歯ブラシ３に着脱式歯ブラシ振動装置１を装着したものである。まず歯ブラシ３としては、通常市販品でも構わないが、特に本例では特許第４１４６７２９号に開示のカートリッジ式ブラシ毛を適宜取り替え可能な歯ブラシであって、片手で把持するハンドル部３ａと、このハンドル部３ａからこれより縮径の柄部３ｂを介して延在するヘッド部３ｃに対して着脱交換可能な替えブラシユニット３ｄとを有する。着脱式歯ブラシ振動装置１の筐体は樹脂製のケース本体１０と外カバー２０とから成り、このケース本体１０は、歯ブラシ３の柄部３ｂが貫通可能に抱持する空洞部Ｓを有し、その先端において歯ブラシ３の柄部３ｂのハンドル部３ａ側であるネック部３ｅを着脱自在に弾力的に挟持する第１の二股爪部１１と、その腹部において歯ブラシ３のハンドル部３ａの中途部３ｆを着脱自在に弾力的に挟持する第２の二股爪部１２とが側面１０ａ，１０ｂから底面側へ張り出ており、それ以外の側面１０ａ，１０ｂの端はハンドル部３ａを把持できるようハンドル部３ａの輪郭形状に合わせて内側で終端している。また、ケース本体１０は全体的にハンドル部３ａに跨って装着されるが、第２の二股爪部１２から後方へ延在しハンドル部３ａに跨る尾部Ｔも有する。ハンドル部３ａを把持した片手の指が第２の二股爪部１２に不如意に掛ったときでも、第２の二股爪部１２がハンドル部３ａの端にないため、ハンドル部３ａから外れ難い。
【００２３】
ケース本体１０の細長矩形状の収納凹所は、振動モータ収容部１３と電池収容部１４とに分けられており、振動モータ収容部１３と電池収容部１４との中間は端子金具装填部１５となっている。電池収容部１４内には、図４及び図８に示す如く、電池マイナス端子金具３０及び電池プラス端子金具４０が組み込まれている。
【００２４】
電池マイナス端子金具３０は、図９に示す如く、乾電池Ｂのマイナス電極に押圧接触する折り返し弾性片３１ａ及び電池収容部１４の壁１４ａに当って抜け止め機能を果たす返し片３１ｂを持つ端板部３１と、この端板部３１から折曲して長手方向に延び電池収容部１４の底面に嵌る底板部３２と、この底板部３２の他方端で折曲して偏心錘Ｗを持つ振動モータ６０のマイナス端子６１と半田付けされる半田盛り片３３ａ及び振動モータ収容部１３の壁に当って抜け止め機能を果たす返し片３３ｂを持つ端板部３３とを一体的に有する。端板部３１は図７に示す第１の案内溝Ｇ１に沿って差し込まれている。
【００２５】
電池プラス端子金具４０は、図１０に示す如く、電池収容部１４を区画する第１の中抜き仕切り壁１４ｂに当って抜け止め機能を果たす一対の返し片４１ａと電池マイナス端子金具３０の底板部３２に接触しない広さに開けた切欠き部４１ｂを持つ脚片部４１と、この脚片部４１の上部にプレス成形して乾電池Ｂのプラス電極に押圧接触する凸部４２と、この凸部４２の上部から折曲形成した折り返し弾性片４３とを有する。脚片部４１は図７に示す第２の案内溝Ｇ２に沿って差し込まれている。
【００２６】
第１の中抜き仕切り壁１４ｂと振動モータ収容部１３の壁との間には第２の中抜き仕切り壁１４ｃが形成されており、この第２の中抜き仕切り壁１４ｃは中継端子金具としてのモータプラス端子金具５０が取り付けられている。このモータプラス端子金具５０は、第２の中抜き仕切り壁１４ｃに当って抜け止め機能を果たす一対の返し片５１ａと電池マイナス端子金具３０の底板部３２に接触しない広さに開けた切欠き部５１ｂを持つ脚片部５１と、この脚片部５１の上部にプレス成形して後述する絶縁性スイッチ操作部８０の隔壁部８４に圧接する凸部５２と、この凸部５２の上部から折曲形成されて振動モータ６０のプラス端子６２と半田付けされる半田盛り片５３を有する。脚片部５１は図７に示す第３の案内溝Ｇ３に沿って差し込まれている。この凸部５２と折り返し弾性片４３とは、図１２に示す如く、第１の中抜き仕切り壁１４ｂと第２の中抜き仕切り壁１４ｃとの間で向き合って弾力的に接触している。
【００２７】
振動モータ６０はその下半分に象られた振動モータ収容部１３内に嵌め込み設置されており、モータケースの反偏心錘端から突出したマイナス端子６１及びプラス端子６２は電池Ｂ側へ向いている。この振動モータ６０は図１３及び図１４に示す樹脂製のドーム状モータカバー７０で覆われて密閉されている。ここで、ドーム状モータカバー７０は振動モータ６０を覆う天井部７１の外、端子６１，６２及び半田盛り片３３ａ，５３の半田接続箇所を密封する継ぎ足し天井部７２を一体的に有する。そして、ドーム状モータカバー７０の上には、図１５及び図１６に示す絶縁性スイッチ操作部８０が被さっている。
【００２８】
この絶縁性スイッチ操作部８０は絶縁性樹脂の成形品であって、相対向した支軸８１ａ，８２ａを持つ一対の対向脚部８１，８２と、これらに跨って支軸８１ａ，８２ａに対して直交方向の双方向へ延在する操作板部８３と、この操作板部８３の一端からＬ形状に湾曲した隔壁部８４とを一体的に有する。操作板部８３上の隔壁部８４側にはオン釦部８３ａが膨出形成されていると共に、その反対側にはオフ釦部８３ｂが膨出形成されている。支軸８１ａ，８２ａはドーム状モータカバー７０の下端に形成された軸受孔７１ａ，７１ｂと振動モータ収容部１３の上端縁１３ａとの間に回転可能に嵌っている。
【００２９】
このドーム状モータカバー７０及び絶縁性スイッチ操作部８０をケース本体１０に組み付ける場合は、図１７（Ａ）に示す如く、絶縁性スイッチ操作部８０の操作板部８３がドーム状モータカバー７０上になるよう、絶縁性スイッチ操作部８０の対向脚部８１，８２間を天井部７１よりも幅狭の継ぎ足し天井部７２に跨らせてその長手方向（母線方向）へ差し入れることにより、図１７（Ｂ）に示す如く、支軸８１ａ，８２ａが軸受孔７１ａ，７１ｂの孔壁に当接して嵌めることができる。その後、図１７（Ｃ）に示す如く、オフ釦部８３ｂを押して隔壁部８４が跳ね上がる姿勢を保持したまま、隔壁部８４を端子金具装填部１５における凸部５２と折り返し弾性片４３との間に差し込むと共に、ドーム状モータカバー７０を図１７（Ｄ）に示す如く振動モータ収容部１３の接着剤塗布済みの上端縁１３ａに合わせて固定する。切り欠き状の軸受孔７１ａ，７１ｂはその上端縁１３ａで囲まれるため、支軸８１ａ，８２ａが軸受孔７１ａ，７１ｂから外れることがない。
【００３０】
ここで、隔壁部８４は絶縁性スイッチ操作部８０のシーソー運動に伴い折り返し弾性片４３の先端側を相対的に嵌め込み案内するガイド溝８４ａを有する。また隔壁部８４は、その基部側に凸部４２が嵌入する貫通孔Ｈと先端側に凸部４２が嵌入する盲穴ｈとを備えている。
【００３１】
ケース本体１０の振動モータ収容部１３，電池収容部１４及び端子金具装填部１５を巡る壁の上端縁には、図４及び図５に示す如く、Ｏリング１７が沿って嵌め込まれている。また、図８（Ａ）に示す如く、ケース本体１０の長手方向の両側には外カバー掛止爪部Ｋ１，Ｋ２が一体的に形成されている。また、ケース本体１０を覆う外カバー２０は、図１８に示す如く、半円筒状であって、その両端に外カバー掛止爪部Ｋ１，Ｋ２に係合する掛止突起Ｐ１，Ｐ２と操作板部８３のオン釦部８３ａ及びオフ釦部８３ｂを臨んで対応する位置に矩形窓２１を有している。そして、この矩形窓２１はその周辺に貼着されたスイッチ操作マーク付きの防水シール２２で塞がれている。
【００３２】
このような構成の着脱式歯ブラシ振動装置１においては、振動モータ６０からの振動はケース本体１０を介して第１の二股爪部１１から歯ブラシ２のネック部３ｅに良く伝わるため、市販品の歯ブラシでも電動歯ブラシとして使用できる。また、歯ブラシ２の交換においては、振動モータ６０は露出せず、ケース本体１０に内蔵されたままであり、二股フック部１１，１２による着脱操作で簡単に交換できる。一台の着脱式歯ブラシ用振動装置１を家族数人の使い回しで共用でき、従来の専用電動歯ブラシを各人が購入する場合に比し低価格化を実現できる。
【００３３】
また、本例における機械的スイッチ装置においては、図１９（Ａ）に示す如く、隔壁部８４の盲穴ｈに凸部５２が嵌った状態では、凸部５２が折り返し弾性片４３と非接触であるため、スイッチ・オフ状態を持続でき、斯かる状態からケース本体１０を把持する手の親指でオン釦部８３ａを防水シール２２を介して押し込むと、スイッチ操作部８０が矢印Ｘ方向に揺動し、図１９（Ｂ）に示す如く、盲穴ｈが凸部５２から相対的に抜け出し、今度は図１９（Ｃ）に示す如く、凸部５２が貫通孔Ｈに嵌入すると同時に折り返し弾性片４３の先端側も貫通孔Ｈの反対側から進入するため、凸部５２と折り返し弾性片４３とが貫通孔Ｈ内で弾性的に圧接し、スイッチ・オン状態を持続できる。逆に、図１９（Ｃ）のスイッチ・オン状態において、指頭でオフ釦部８３ｂを押し込むことにより、スイッチ操作部８０が矢印Ｙ方向に揺動し、図１９（Ｂ）に示す如く、凸部５２及び折り返し弾性片４３が貫通孔Ｈから相対的に抜け出し、今度は図１９（Ａ）に示す如く、凸部５２が盲穴ｈに嵌って返し弾性片４３とは非接触状態となり、スイッチ・オフ状態を持続できる。
【００３４】
このように、凸部５２の貫通孔Ｈ又は盲穴ｈに対して選択的に嵌ることによりスイッチのオン状態又はオフ状態が持続でき、しかも片手でケース本体１０を把持したまま、その親指でスイッチ操作でき、使い勝手の向上に資する。また、２つの端子金具４０，５０とこの間に隔壁部８４が介在するスイッチ操作部８０とで構成できるため、実質的にコンパクトな収納構造として端子金具装填部１５で済む。
【００３５】
本例では、隔壁部８４にガイド溝８４ａが形成されているため、折り返し弾性片４３の逃げをガイド溝で規制でき、永年使用による折り返し弾性片４３の変形が抑制でき、結果として隔壁部８４のスライド方向に対するブレの抑制で、凸部４２と盲穴ｈや貫通孔Ｈとの嵌め合わせの精度を持続できる。
【００３６】
絶縁性スイッチ操作部８０は操作板部８１とこれからＬ形状に湾曲した隔壁部８４とを一体的に有し、操作板部８１のシーソー操作で隔壁部８４をスライドできるので、スイッチ操作面をケース本体の片面側に配することができ、親指操作に適している。
【００３７】
凸部５２は盲穴ｈと浅く嵌合し、凸部５２は貫通孔Ｈと深く嵌合するが、貫通孔Ｈは隔壁部８４の基部側に形成されているので、隔壁部８４には嵌合時に過大なストレスが生じ難く、スイッチ操作に伴う耐久性を向上できる。
【００３８】
本例では、ケース本体１０の振動モータ収容部１３を塞ぐドーム状モータカバー７０を有し、振動モータ収容部１３とドーム状モータカバー７０とで支軸８１ａ，８２ａを回動可能に支持し、操作板部８１がドーム状モータカバー７０上に被さっているので、隔壁部８４のスライドにおいてはその先端がケース本体１０に当接するときと、反対に、操作板部８１の端がドーム状モータカバー７０に当接するときとがあり、隔壁部８４のスライドストロークを限定できる。
【００３９】
そして、ケース本体１０の電池収容部１４と振動モータ収容部１３とを一巡する開口縁にＯリング１７を介在させて両収容部を塞ぐ外カバー２０を有し、この外カバー２０は操作板部８１のオン釦部８３ａ及びオフ釦部８３ｂに臨むシート付きの矩形窓２１を有しているため、操作板部８１はドーム状モータカバー７０と外カバー２０との間に挟まっており、矩形窓２１の防水シール２２を介してシーソー操作可能であって、Ｏリング１７や防水シール２２で２重防水構造となっている。
【００４０】
なお、着脱式歯ブラシ振動装置２においては振動モータ６０を内蔵してあるが、それに代えてギアドモータとすることにより、各種の着脱式原動装置を実現することができる。
【符号の説明】
【００４１】
１…着脱式歯ブラシ振動装置
２…電動歯ブラシ
３…歯ブラシ
３ａ…ハンドル部
３ｂ…柄部
３ｃ…ヘッド部
３ｄ…替えブラシユニット
３ｅ…ネック部
３ｆ…中途部
１０…ケース本体
１０ａ，１０ｂ…側面
１１…第１の二股爪部
１２…第２の二股爪部
１３…振動モータ収容部
１３ａ…上端縁
１４…電池収容部
１４ａ…壁
１４ｂ…第１の中抜き仕切り壁
１４ｃ…第２の中抜き仕切り壁
１５…端子金具装填部
１７…Ｏリング
２０…外カバー
２１…矩形窓
２２…防水シール
３０…電池マイナス端子金具
３１，３３…端板部
３１ａ…折り返し弾性片
３１ｂ，３３ｂ，４１ａ，５１ａ…返し片
３２…底板部
３３ａ，５３…半田盛り片
４０…電池プラス端子金具
４１，５１…脚片部
４１ｂ，５１ｂ…切欠き部
４２，５２…凸部
４３…折り返し弾性片
５０…モータプラス端子金具
６０…振動モータ
６１…マイナス端子
６２…プラス端子
７０…ドーム状モータカバー
７１…天井部
７１ａ，７１ｂ…軸受孔
７２…継ぎ足し天井部
８０…スイッチ操作部
８１ａ，８２ａ…支軸
８１，８２…対向脚部
８３…操作板部
８３ａ…オン釦部
８３ｂ…オフ釦部
８４…隔壁部
８４ａ…ガイド溝
Ｂ…乾電池
Ｇ１…第１の案内溝
Ｇ２…第２の案内溝
Ｇ３…第３の案内溝
Ｈ…貫通孔
ｈ…盲穴
Ｋ１，Ｋ２…外カバー掛止爪部
Ｐ１，Ｐ２…掛止突起
Ｓ…空洞部
Ｔ…尾部
Ｗ…偏心錘
【図１】
2011104240.tif 000003
【図２】
2011104240.tif 000004
【図３】
2011104240.tif 000005
【図４】
2011104240.tif 000006
【図５】
2011104240.tif 000007
【図６】
2011104240.tif 000008
【図７】
2011104240.tif 000009
【図８】
2011104240.tif 000010
【図９】
2011104240.tif 000011
【図１０】
2011104240.tif 000012
【図１１】
2011104240.tif 000013
【図１２】
2011104240.tif 000014
【図１３】
2011104240.tif 000015
【図１４】
2011104240.tif 000016
【図１５】
2011104240.tif 000017
【図１６】
2011104240.tif 000018
【図１７】
2011104240.tif 000019
【図１８】
2011104240.tif 000020
【図１９】
2011104240.tif 000021